(57)【要約】      （修正有）【課題】濾過槽・コード・ヒーターなどのコード等が垂れ下がっていて美観を損ねていた。それらを水槽上部や水中から排除すると共に、水温管理槽と水槽設置台を開発し水中では水草や魚、水槽上部では陸生植物を植え、ハイドロカルチャー・テラリウム・アクアリウム等では表現できない世界を表現し、空間と調和のとれたお洒落な水槽を実現すると同時に、水槽として作られていない食器・花器などのガラス製品を個性的な水槽として楽しめるものとする。【解決手段】  鉢に植物を植える植え込み材に生物濾過能力を持たせ、多数の穴を設けた鉢底１からエアーが鉢内を通過する事により根腐れを防ぎ、水槽の底に水路５、６を設け、水槽の下に位置する水温管理槽１２を設置した上、温度センサー１０を内蔵し、水槽設置台１７に内蔵された面状発熱ヒーター１６により温度管理し、エアレーションにより循環して水槽内に戻る構造とする。【選択図】図３
2006288374.tif 000002
【特許請求の範囲】
【請求項１】
観賞用水槽にあって、水温管理槽を介して温度管理するために、水槽の底に入水路・出水路を有する特徴を持つ水槽。
【請求項２】
観賞用水槽にあって、水温管理槽内の入水路付近に温度センサーを有する特徴を持ち、薄く広い蛇行した水路に水をゆっくりと循環させる事により、効率よく熱を吸収し、安定した温度管理を可能とし、水槽へ戻す特徴を有する水温管理槽、及びこれを共有する請求項１の水槽。
【請求項３】
観賞用水槽にあって、水槽設置台の表面に温度設定が可能なＰＴＣ式自己温度制御の面状発熱ヒーターを設け、水温管理槽内の温度センサーを介して温度管理をし、温度管理槽の底に密着させて水を温める特徴を有する水槽設置台、及びこれを共有する請求項２の水温管理槽。
【請求項４】
観賞用水槽にあって、植物が植えられる鉢を開口部に有しエアレーションにより水中から上がってくる浮遊物や栄養素を鉢内に入れた植え込み材に吸着させ、植物の肥料、及び生物ろ過効率を上げるための多数の穴を鉢底に有する特徴を持つ鉢、及びこれを共有する請求項１の水槽。
【請求項５】
鉢底に深い縁を有し、エアレーションにより集まったエアーが水圧により押し上げられ、多数の穴から水位を変えながら植え込み材の中を通り抜け空間に放出する事により、根腐れを防ぐと同時に植え込み材に宿る微生物の働きを活発にする、エアーを逃がさず集めるための凹んだ鉢底を特徴に持つ請求項４の鉢。
【請求項６】
鉢底から３分の１程度を水没させて水の蒸発を防ぎ、保温・保湿・消音の働きをする水槽の開口部と同形で栓の役目をする構造を特徴に持つ請求項４の鉢。
【請求項７】
水槽内の生物に餌を与える為の筒を鉢の内側に有する特徴を持つ請求項４の鉢。
【発明の詳細な説明】
【技術分野】
【０００１】  本発明は、面状発熱ヒーターを使った水温管理槽と水槽設置台、および、陸生植物・水生動植物を同時に観賞できる水槽に関するものである。
【背景技術】
【０００２】  従来、観賞用水槽に用いていた面状発熱ヒーターは温度センサーが基板上にあって、発熱ヒーターの表面温度を感知して温度管理している物であって、水温が不安定な事から魚を飼う水槽には不向きであった。また、水槽にあっては濾過槽・エアーホース・ヒーター・パイプ等が水槽上部や水槽内に設置してあってコード等が垂れ下がっていた、美観を損なうものであり水槽の大きさや形・移動が制限されてしまう物であった。
【発明の開示】
【発明が解決しようとする課題】
【０００３】  従来、水槽は四角形の物が主流であり、濾過槽やコード・ヒーター・エアーホース等が、水槽の上や水槽内部に見えて、垂れ下がっていることが通例であったが、本発明はそれらを水槽上部や水槽内部から排除し、水中では水草・魚などを水槽の開口部では陸生植物を楽しめる物とする。また、水温管理槽と設置台を開発する事によりお洒落なガラスの瓶・花器・食器等を水槽として使用可能にする事を課題とするものである。
【課題を解決する手段】
【０００４】  水槽の上部鉢内と底面に濾過槽を設置し、温度管理は水槽の底に入・出水路を設け、水槽の下に設けた水温管理槽に設けた温度センサーを介して水槽設置台に設けた面状発熱ヒーターをコントロールして水温管理し、水の循環は出水パイプ内にエアーノズルを設けてエアーレーションによりゆっくりと流し水槽内に戻す。また、水温管理槽及び水槽設置台を新設することで水槽上部や内部からヒーター・エアーホース等を排除する、水槽として作られていないガラスの器は底に穴をあけ水路を設け水温管理槽に接続し設置台に設置する事により、多種多様のガラス容器を容易に水槽として使用できる物とする。
【発明の効果】
【０００５】  本発明により水槽上部・内部及び水槽の周りから濾過槽・ヒーター・コード・など美観を損なう設備を排除し、水槽の開口部に陸を表す鉢を設け、空間・陸生植物・水生動植物で自然界を表現し、空間と調和するお洒落な水槽を提供する、同時に水槽設置台と水温管理槽を開発した事により、水槽として作られていない花器・食器などを使用して、個性的な多種多様の水槽を容易に実現できる。
【発明を実施するための最良の形態】
【０００６】以下、本発明の実施の形態を説明する。
〔イ〕エアーが抜ける大きさであって、植え込み材が落下しない程度の穴が多数あいた鉢底〔１〕と餌を与える筒〔２〕を鉢内側面に沿って有する、深く凹んだ底の鉢〔３〕を設ける。
〔ロ〕水槽〔４〕の底に入水路〔５〕と出水路〔６〕となる穴を設ける。
〔ハ〕水を循環させるエアーノズル〔７〕をパイプ内に有する出水パイプ〔８〕内に設け、入水パイプ〔９〕に近い水路内に温度センサー〔１０〕を設置し、蛇行した水路〔１１〕を有する水温管理槽本体〔１２〕と水温管理槽の蓋〔１３〕を接着し、その上に入水パイプ〔９〕・出水パイプ〔８〕を化粧板の穴〔３０〕に差し込んで化粧板〔１４〕を接着する。
〔ニ〕底板〔１５〕に面状発熱ヒーター〔１６〕を貼り付けて、設置台の枠〔１７ａ〕・〔１７ｃ〕・〔１７ｄ〕を底板〔１５〕にビス穴〔２９〕を使って裏側からビスで固定する。
〔ホ〕水槽〔４〕の底周辺に接着剤をつけ入水路〔５〕・出水路に〔６〕に水温管理槽〔１２〕の入水パイプ〔９〕・出水パイプ〔８〕を差込んで、ゴムパッキン〔１８〕と固定ネジ〔１９〕で水槽と水温管理槽を接続する。
〔ヘ〕設置台のコントロールボックス〔２２〕側に水温管理槽のエアーノズル〔７〕を向けた状態で設置台の枠〔１７ａ〕・〔１７ｃ〕・〔１７ｄ〕の中に水槽〔４〕を置き、エアーノズル〔７〕をエアーノズル穴〔２１〕に合わせて設置台の枠〔１７ｄ〕に水槽〔４〕を押しつけ、水温管理槽センサー接続部〔２８〕とコントロールボックス〔２２〕の接続端子〔２３〕を密着させ設置台の枠〔１７ｄ〕の縁〔２０ａ〕に、水温管理槽の縁〔２７ａ〕をかませておき、設置台の枠〔１７ｂ〕の縁〔２０ｂ〕を水温管理槽の縁〔２７ｂ〕にかませて底板〔１５〕にビス穴〔２９〕を使って裏側からビスで固定する。
本発明は、以上の構成よりなっている。
本発明を使用するときは、別売りのエアーポンプ・エアーホース・逆流防止弁・濾過砂・水草・魚・陸生植物・植え込み材が必要になります。本水槽のエアーノズル〔７〕にエアーホース・逆流防止弁・エアーポンプを接続して，水槽内の出水パイプ〔８〕に濾過フィルター〔２４〕の穴を合わせて通し、出水パイプ〔８〕に入らないように濾過砂を敷き水草を植え、水槽の３分の２まで水を入れて魚を放し，鉢に植え込み材を使い植物を植え水槽の開口部に設置し、水を鉢底から３分の１まで水没するよう足し水し、エアーポンプと面状発熱ヒーターのコンセントを差し込んで温度とエアー量の調整をして使用する。この結果，水槽の上や周りにエアーホース・コード・等が垂れ下がる物も無く、すっきりとした設置台に内蔵された水温管理槽により安定した水温が保たれ、今までに無いお洒落な空間を演出する水槽が場所を選ばず楽しむ事ができる。
【図面の簡単な説明】
【０００７】
【図１】本発明の水槽斜視図
【図２】本発明の鉢分解斜視図
【図３】本発明の全体断面図
【図４】本発明の水槽分解斜視図
【図５】本発明の温度管理槽の分解斜視図
【図６】本発明の温度管理槽本体の拡大斜視図
【図７】本発明の温度センサーの接続部拡大斜視図
【図８】本発明の水温管理槽の断面図
【図９】本発明の水槽設置台の分解斜視図
【図１０】本発明の使用状態を示す斜視図
【図１１】ガラスの器で作られた水槽斜視図〔本発明の使用例〕
【符号の説明】
【０００８】  １    鉢底
２    筒
３    鉢
４    水槽
５    入水路
６    出水路
７    エアーノズル
８    出水パイプ
９    入水パイプ
１０  温度センサー
１１  水路
１２  水温管理槽本体
１３  水温管理槽の蓋
１４  化粧板
１５  底板
１６  面状発熱ヒーター
１７  設置台の枠〔１７ａ〕
設置台の枠〔１７ｂ〕
設置台の枠〔１７ｃ〕
設置台の枠〔１７ｄ〕
１８  ゴムパッキン
１９  固定ネジ
２０  設置台枠の縁〔２０ａ〕
設置台枠の縁〔２０ｂ〕
２１  エアーノズル穴
２２  コントロールボックス
２３  センサー接続端子
２４  濾過フィルター
２５  コード
２６  エアーホース
２７  水温管理槽の縁〔２７ａ〕
水温管理槽の縁〔２７ｂ〕
２８  水温管理槽センサー接続部
２９  ビス穴
３０  化粧板の穴
【図１】
2006288374.tif 000003
【図２】
2006288374.tif 000004
【図３】
2006288374.tif 000005
【図４】
2006288374.tif 000006
【図５】
2006288374.tif 000007
【図６】
2006288374.tif 000008
【図７】
2006288374.tif 000009
【図８】
2006288374.tif 000010
【図９】
2006288374.tif 000011
【図１０】
2006288374.tif 000012
【図１１】
2006288374.tif 000013